(57)【要約】【課題】主回路に接続する接続位置において、引出形機器を強固に固定することの可能な固定装置を提供する。【解決手段】真空遮断器のような移動自在の引出形機器５の側面に設けた案内ブロック１１と、案内ブロック１１を少なくとも上方向から囲むような包囲部１２ａを有する案内板１２と、案内板１２を側面に固定した固定側ユニット２とを備え、引出形機器５を固定側ユニット２に収納する接続位置において、案内ブロック１１が包囲部１２ａに囲まれ、遊動を抑制することを特徴とする。【選択図】図１
2010104080.tif 000002
【特許請求の範囲】
【請求項１】
移動自在の引出形機器の側面に設けた案内ブロックと、
前記案内ブロックを少なくとも上方向から囲むような包囲部を有する案内板と、
前記案内板を側面に固定した固定側ユニットとを備え、
前記引出形機器を前記固定側ユニットに収納する接続位置において、前記案内ブロックが前記包囲部に囲まれることを特徴とする引出形機器の固定装置。
【請求項２】
前記包囲部をＬ字状とし、前記案内ブロックが上方向から囲まれることを特徴とする請求項１に記載の引出形機器の固定装置。
【請求項３】
前記包囲部をコ字状とし、前記案内ブロックが上下方向から囲まれることを特徴とする請求項１に記載の引出形機器の固定装置。
【請求項４】
前記案内ブロックを前記真空遮断器の上部、且つ背面側に設けたことを特徴とする請求項１乃至請求項３のいずれか１項に記載の引出形機器の固定装置。
【発明の詳細な説明】
【技術分野】
【０００１】
本発明は、スイッチギヤ内に収納される引出形の遮断器、避雷器など引出形機器を、接続位置において強固に固定し得る引出形機器の固定装置に関する。
【背景技術】
【０００２】
従来、この種の引出形機器には、機器の正面下部にインターロックピンが設けられており、主回路に接続する接続位置において、このインターロックピンを固定側ユニット（スイッチギヤ）の床面穴部に嵌め込むことにより、誤操作や誤動作による事故を防止するための仕組みがとられている。また、引出形機器の飛び出し防止も行われる。なお、引出形機器を主回路から引出した断路位置においても、インターロックピンで脱落防止などが行われる（例えば、特許文献１参照。）。
【特許文献１】特開２００３−１８９４２６号公報  （第３ページ、図３）
【発明の開示】
【発明が解決しようとする課題】
【０００３】
上記の従来の引出形機器の固定装置においては、次のような問題がある。スイッチギヤの主回路で短絡事故などが起こったとき、引出形機器にも大きな電磁力が働き、インターロックピンと床面穴部との嵌め込みが外れることがある。すると、引出形機器が外側に飛び出すことがある。特に、引出形機器の背面側が跳ね上がると、インターロックピンが外れ易くなる。
【０００４】
このため、引出形機器が電磁力で上下左右に遊動したときでも、インターロックピンが外れ難く、強固に固定することのできる固定装置が望まれていた。この場合、固定するための付帯作業などを不要とするものとする。
【０００５】
本発明は上記問題を解決するためになされたもので、引出形機器を固定側ユニットに挿入した接続位置において、引出形機器を強固に固定することの可能な引出形機器の固定装置を提供することを目的とする。
【課題を解決するための手段】
【０００６】
上記目的を達成するために、本発明の引出形機器の固定装置は、移動自在の引出形機器の側面に設けた案内ブロックと、前記案内ブロックを少なくとも上方向から囲むような包囲部を有する案内板と、前記案内板を側面に固定した固定側ユニットとを備え、前記引出形機器を前記固定側ユニットに収納する接続位置において、前記案内ブロックが前記包囲部に囲まれることを特徴とする。
【発明の効果】
【０００７】
本発明によれば、引出形機器の両側面に案内ブロックを設け、接続位置で固定側ユニット側に設けた案内板で案内ブロックを囲むようにしているので、電磁力が働いても引出形機器の遊動を抑えて固定することができ、固定側ユニットからの飛び出しを防止することができる。
【発明を実施するための最良の形態】
【０００８】
以下、図面を参照して本発明の実施例を説明する。
【実施例１】
【０００９】
先ず、本発明の実施例１に係る引出形機器の固定装置を図１、図２を参照して説明する。図１は、本発明の実施例１に係る引出形機器の固定装置の構成を示す側面図、図２は、本発明の実施例１に係る引出形機器の固定装置の構成を一部断面して示す正面図である。なお、引出形機器を真空遮断器を用いて説明する。
【００１０】
図１に示すように、主回路導体１を配置した固定側ユニット２（スイッチギヤ）内には、真空バルブ３やそれを開閉する操作機構４を用いた真空遮断器５が収納されている。真空遮断器５には、車輪６が設けられ、固定側ユニット２の床面の両側面に設けられた車輪ガイド７内を図示左右方向に移動可能となっている。また、真空遮断器５正面の下部には、上下方向に移動自在のインターロックピン８が設けられ、接続位置において、固定側ユニット２床面に設けられた接続位置板９の穴部９ａに嵌め込まれるようになっている。中間部には、移動させるための握手１０が設けられている。
【００１１】
真空遮断器５の上部両側には、矩形状の案内ブロック１１が設けられ、固定側ユニット２の両側面に設けられた案内板１２に沿って移動できるようになっている。案内板１２には、上部を内側に折り曲げた断面Ｌ字状のＬ字状部１２ａが設けられ、少なくとも接続位置において、Ｌ字状部１２ａの内側に配置され、案内ブロック１１を上方向から囲むようになっている。案内ブロック１１は、正面から背面まで設けてもよいが、少なくとも背面側には設けるものとする。
【００１２】
なお、真空バルブ３の上下には主回路導体１３が設けられ、接触子１４を介して固定側ユニット２の主回路導体１と接続される。また、真空遮断器５を二点鎖線で示す断路位置まで引き出すと、接触子１４が主回路導体１から開離するとともに、案内ブロック１１が案内板１２から外れるようになっている。
【００１３】
これにより、主回路導体１側で短絡事故などが起き、真空遮断器５にも電磁力が働いても、案内ブロック１１がＬ字状部１２ａに囲まれているので、真空遮断器５が上下左右に大きく遊動することがない。特に、図２の矢印で示すように、真空遮断器５の背面側が上方向に跳ね上がることを防止することができる。
【００１４】
このため、インターロックピン８が穴部９ａから外れることがなく、固定側ユニット２からの飛び出しを防止することができる。なお、案内板１２のＬ字状部１２ａに沿って案内ブロック１１を移動させ、固定するものであるので、真空遮断器５を固定するための例えばボルト締めなどの付帯作業を不要としている。
【００１５】
ここで、Ｌ字状部１２ａは、案内ブロック１１を上方向から包囲し、真空遮断器５の遊動を抑えるものであるので、案内ブロック１１を囲む包囲部と称する。
【００１６】
上記実施例１の引出形機器の固定装置によれば、真空遮断器５の両側面に案内ブロック１１を設け、接続位置で固定側ユニット２側に設けた案内板１２のＬ字状部１２ａで案内ブロック１１を囲むようにしているので、電磁力が働いても真空遮断器５の遊動を抑えて固定することができ、固定側ユニット２からの飛び出しを防止することができる。
【００１７】
なお、上記実施例では、案内ブロック１１を矩形状で説明したが、矩形状で角を取り除いた多角形状、楕円状、円状などいずれの形状でもよい。また、組立て精度などから真空遮断器５を移動させたとき、案内ブロック１１と案内板１２とが接触することが生じる。このため、少なくとも案内ブロック１１に潤滑剤を塗布したり、表面にフッ素系樹脂のコーティング処理を施し、滑り易くすると好ましいものとなる。
【００１８】
更に、インターロックピン８で他の機器との事故を防止するための仕組み（第１のインターロック）がとられているが、接続位置において、L字状部１２ａに案内ブロック１１が嵌め込まれて固定されるようにすれば、真空遮断器５の遊動をより確実に抑えることができるとともに、第２のインターロックとすることができ、事故防止の仕組みを確実なものとすることができる。
【実施例２】
【００１９】
次に、本発明の実施例２に係る引出形機器の固定装置を図３を参照して説明する。図３は、本発明の実施例２に係る引出形機器の固定装置の構成を一部断面して示す正面図である。なお、この実施例２が実施例１と異なる点は、案内板の形状である。図３において、実施例１と同様の構成部分においては、同一符号を付し、その詳細な説明を省略する。
【００２０】
図３に示すように、案内板１２の上部には、案内ブロック１１を上下方向から囲むような断面コ字状のコ字状部１２ｂを設けている。
【００２１】
ここで、コ字状部１２ｂは、案内ブロック１１を上下方向から包囲し、真空遮断器５の遊動を抑えるものである。このため、実施例１のＬ字状部１２ａと同様に、案内ブロック１１を囲む包囲部と称する。
【００２２】
上記実施例２の引出形機器の固定装置によれば、実施例１による効果のほかに、案内ブロック１１をコ字状部１２ｂで上下方向から囲んでいるので、電磁力が働いたときに、より確実に真空遮断器５の遊動を抑えることができる。
【図面の簡単な説明】
【００２３】
【図１】図１は、本発明の実施例１に係る引出形機器の固定装置の構成を示す側面図。
【図２】図２は、本発明の実施例１に係る引出形機器の固定装置の構成を一部断面して示す正面図。
【図３】本発明の実施例２に係る引出形機器の固定装置の構成を一部断面して示す正面図。
【符号の説明】
【００２４】
１、１３  主回路導体
２  固定側ユニット
３  真空バルブ
４  操作機構
５  真空遮断器
６  車輪
７  車輪ガイド
８  インターロックピン
９  接続位置板
９ａ  穴部
１０  握手
１１  案内ブロック
１２  案内板
１２ａ  Ｌ字状部
１２ｂ  コ字状部
１４  接触子
【図１】
2010104080.tif 000003
【図２】
2010104080.tif 000004
【図３】
2010104080.tif 000005